(57)【要約】【課題】  ユーザがいつ異常な状況に遭遇しても、然るべき人に対し必要な情報が自動的に通知されることを可能とする手段を提供する。【解決手段】  携帯端末装置１１はユーザの体温等を示す計測データを所定の時間間隔で基地局１２を介してサーバ装置１３に送信する。サーバ装置１３は、予め記憶されている条件データにより示される条件が、携帯端末装置１１から送信された計測データにより示されるユーザの体温等により充たされるか否かを判定する。サーバ装置１３はその判定結果に応じて、計測データの送信元の携帯端末装置１１に対し警報指示データを送信し、携帯端末装置１１はその警報指示データに従い警報音を発してユーザもしくは周囲の人々に異常の通知を行う。また、サーバ装置１３は判定結果に応じて予め登録されている連絡先の電話番号に対し、ユーザの状況および場所を通報する。【選択図】      図１
2006333114.tif 000002
【特許請求の範囲】
【請求項１】
身体の属性値を計測するセンサと、当該センサの計測の結果を示す計測データを自機を識別する携帯端末識別データとともに複数の基地局のうちの少なくとも１の基地局に無線により送信する送信手段と、前記複数の基地局のうちの少なくとも１の基地局から警報指示データを無線により受信する受信手段と、当該受信手段により受信された警報指示データに従いユーザに対する警報の通知を行う通知手段とを各々備える複数の携帯端末装置と、
前記複数の携帯端末装置のうちの少なくとも１の携帯端末装置から計測データおよび携帯端末識別データを無線により受信するとともにサーバ装置から警報指示データおよび携帯端末識別データを無線もしくは有線により受信する受信手段と、当該受信手段により当該１の携帯端末装置から受信された計測データおよび携帯端末識別データを自機を識別する基地局識別データとともに前記サーバ装置に無線もしくは有線により送信するとともに当該受信手段により前記サーバ装置から受信された警報指示データを無線により当該受信手段により前記サーバ装置から受信された携帯端末識別データにより識別される携帯端末装置に送信する送信手段とを各々備える複数の基地局と、
前記複数の基地局の各々から計測データ、携帯端末識別データおよび基地局識別データを無線もしくは有線により受信する受信手段と、当該受信手段により受信された計測データが所定の条件を満たす場合に警報指示データを当該受信手段により受信された携帯端末識別データとともに無線もしくは有線により当該受信手段により受信された基地局識別データにより識別される基地局に送信する送信手段とを備えるサーバ装置と
を備えることを特徴とする警報システム。
【請求項２】
身体の属性値を計測するセンサと、当該センサの計測の結果を示す計測データを自機を識別する携帯端末識別データとともに複数の基地局のうちの少なくとも１の基地局に無線により送信する送信手段とを各々備える複数の携帯端末装置と、
前記複数の携帯端末装置のうちの少なくとも１の携帯端末装置から計測データおよび携帯端末識別データを無線により受信する受信手段と、当該受信手段により受信された計測データおよび携帯端末識別データを自機を識別する基地局識別データとともに前記サーバ装置に無線もしくは有線により送信する送信手段とを各々備える複数の基地局と、
前記複数の携帯端末装置の各々の携帯端末識別データに対応付けて、通信網において所定の通信端末装置を識別する通信端末識別データを予め記憶する記憶手段と、前記複数の基地局の各々から計測データ、携帯端末識別データおよび基地局識別データを無線もしくは有線により受信する受信手段と、当該受信手段により受信された計測データが所定の条件を満たす場合に当該受信手段により受信された携帯端末識別データに対応付けて当該記憶手段に記憶されている通信端末識別データにより識別される通信端末装置との間に通信接続を確立し当該受信手段により受信された基地局識別データにより識別される基地局の位置を示す位置データを当該通信接続を用いて送信する通信手段とを備えるサーバ装置と
を備えることを特徴とする警報システム。
【請求項３】
身体の属性値を計測するセンサと、
前記センサの計測の結果を示す計測データを自機を識別する携帯端末識別データとともに複数の基地局のうちの少なくとも１の基地局に無線により送信する送信手段と、
前記複数の基地局のうちの少なくとも１の基地局から警報指示データを無線により受信する受信手段と、
前記受信手段により受信された警報指示データに従いユーザに対する警報の通知を行う通知手段と
を備えることを特徴とする携帯端末装置。
【請求項４】
複数の携帯端末装置のうちの少なくとも１の携帯端末装置から身体の属性値の計測結果を示す計測データおよび当該携帯端末装置を識別する携帯端末識別データを無線により受信するとともに、サーバ装置から警報の通知を指示する警報指示データおよび前記複数の携帯端末装置のうちのいずれかの携帯端末装置を識別する携帯端末識別データを無線もしくは有線により受信する受信手段と、
前記受信手段により前記１の携帯端末装置から受信された計測データおよび携帯端末識別データを自機を識別する基地局識別データとともに前記サーバ装置に無線もしくは有線により送信するとともに、前記受信手段により前記サーバ装置から受信された警報指示データを無線により前記受信手段により前記サーバ装置から受信された携帯端末識別データにより識別される携帯端末装置に送信する送信手段と
を備えることを特徴とする基地局。
【請求項５】
複数の携帯端末装置のうちの少なくとも１の携帯端末装置から身体の属性値の計測結果を示す計測データおよび当該携帯端末装置を識別する携帯端末識別データを無線により受信する受信手段と、
前記受信手段により受信された計測データおよび携帯端末識別データを自機を識別する基地局識別データとともにサーバ装置に無線もしくは有線により送信する送信手段と
を備えることを特徴とする基地局。
【請求項６】
複数の基地局の各々から身体の属性値の計測結果を示す計測データ、携帯端末装置を識別する携帯端末識別データおよび当該基地局を識別する基地局識別データを無線もしくは有線により受信する受信手段と、
前記受信手段により受信された計測データが所定の条件を満たす場合に、警報の通知を指示する警報指示データを前記受信手段により受信された携帯端末識別データとともに無線もしくは有線により前記受信手段により受信された基地局識別データにより識別される基地局に送信する送信手段と
を備えることを特徴とするサーバ装置。
【請求項７】
複数の携帯端末装置の各々に関し、当該携帯端末装置を識別する携帯端末識別データに対応付けて、通信網において所定の通信端末装置を識別する通信端末識別データを予め記憶する記憶手段と、
複数の基地局の各々から身体の属性値の計測結果を示す計測データ、携帯端末装置を識別する携帯端末識別データおよび当該基地局を識別する基地局識別データを無線もしくは有線により受信する受信手段と、
前記受信手段により受信された計測データが所定の条件を満たす場合に、前記受信手段により受信された携帯端末識別データに対応付けて前記記憶手段に記憶されている通信端末識別データにより識別される通信端末装置との間に通信接続を確立し、前記受信手段により受信された基地局識別データにより識別される基地局の位置を示す位置データを、当該通信接続を用いて送信する通信手段と
を備えることを特徴とするサーバ装置。
【発明の詳細な説明】
【技術分野】
【０００１】
本発明は、携帯端末装置を用いて当該携帯端末装置のユーザの異常を通知する技術に関する。
【背景技術】
【０００２】
急に身体の異常を感じた場合等に携帯電話により消防署等へ緊急通報することは広く行われている。
【０００３】
また、暴漢に襲われる等の危険な事態が発生した場合に、周囲に対し警報音を発してその危険な事態を通知し危険を回避するための技術がある。例えば、特許文献１には、警報音を発する防犯装置を携帯電話に着脱可能とする技術が開示されている。
【特許文献１】特開２００４−７７６４８号公報
【発明の開示】
【発明が解決しようとする課題】
【０００４】
携帯電話は近年、小型軽量化しているものの、送受話器やダイヤルパッドを備える必要があるため、例えば運動をしている時に身体に装着する程度に小型軽量化することは困難である。従って、運動中に身体に異常を感じた場合、携帯電話を所持しておらず、緊急通報が行えない、という不都合が生じやすい。また、身体の異常が深刻であるような場合、たとえ携帯電話を所持していても、自分で然るべき電話番号をダイヤルすることが困難な場合もある。
【０００５】
また、警報音を発する防犯装置のあるものは、運動中も身体に装着可能な程度に小型軽量化されたものが存在するが、そのような防犯装置は危険な事態に遭遇したユーザの周囲に対し警報音を発するのみで、例えば警察官等の然るべき人に対し通報を行うものではなく、十分な防犯効果が得られるとは限らない。
【０００６】
上記の状況に鑑み、本発明はユーザがいつ異常な状況に遭遇しても、然るべき人に対し必要な情報が自動的に通知されることを可能とする手段を提供することを目的とする。
【課題を解決するための手段】
【０００７】
上記課題を達成するために、本発明は、身体の属性値を計測するセンサと、当該センサの計測の結果を示す計測データを自機を識別する携帯端末識別データとともに複数の基地局のうちの少なくとも１の基地局に無線により送信する送信手段と、前記複数の基地局のうちの少なくとも１の基地局から警報指示データを無線により受信する受信手段と、当該受信手段により受信された警報指示データに従いユーザに対する警報の通知を行う通知手段とを各々備える複数の携帯端末装置と、前記複数の携帯端末装置のうちの少なくとも１の携帯端末装置から計測データおよび携帯端末識別データを無線により受信するとともにサーバ装置から警報指示データおよび携帯端末識別データを無線もしくは有線により受信する受信手段と、当該受信手段により当該１の携帯端末装置から受信された計測データおよび携帯端末識別データを自機を識別する基地局識別データとともに前記サーバ装置に無線もしくは有線により送信するとともに当該受信手段により前記サーバ装置から受信された警報指示データを無線により当該受信手段により前記サーバ装置から受信された携帯端末識別データにより識別される携帯端末装置に送信する送信手段とを各々備える複数の基地局と、前記複数の基地局の各々から計測データ、携帯端末識別データおよび基地局識別データを無線もしくは有線により受信する受信手段と、当該受信手段により受信された計測データが所定の条件を満たす場合に警報指示データを当該受信手段により受信された携帯端末識別データとともに無線もしくは有線により当該受信手段により受信された基地局識別データにより識別される基地局に送信する送信手段とを備えるサーバ装置とを備えることを特徴とする警報システムを提供する。
【０００８】
かかる構成の警報システムによれば、携帯端末装置のユーザは自分で何らかの操作等を行うことなく、自分の身体の異常を容易に知ることができ、その異常な事態がより深刻となることを回避することが可能となる。
【０００９】
また、本発明は、身体の属性値を計測するセンサと、当該センサの計測の結果を示す計測データを自機を識別する携帯端末識別データとともに複数の基地局のうちの少なくとも１の基地局に無線により送信する送信手段とを各々備える複数の携帯端末装置と、前記複数の携帯端末装置のうちの少なくとも１の携帯端末装置から計測データおよび携帯端末識別データを無線により受信する受信手段と、当該受信手段により受信された計測データおよび携帯端末識別データを自機を識別する基地局識別データとともに前記サーバ装置に無線もしくは有線により送信する送信手段とを各々備える複数の基地局と、前記複数の携帯端末装置の各々の携帯端末識別データに対応付けて、通信網において所定の通信端末装置を識別する通信端末識別データを予め記憶する記憶手段と、前記複数の基地局の各々から計測データ、携帯端末識別データおよび基地局識別データを無線もしくは有線により受信する受信手段と、当該受信手段により受信された計測データが所定の条件を満たす場合に当該受信手段により受信された携帯端末識別データに対応付けて当該記憶手段に記憶されている通信端末識別データにより識別される通信端末装置との間に通信接続を確立し当該受信手段により受信された基地局識別データにより識別される基地局の位置を示す位置データを当該通信接続を用いて送信する通信手段とを備えるサーバ装置とを備えることを特徴とする警報システムを提供する。
【００１０】
かかる構成の警報システムによれば、携帯端末装置のユーザは自分で何らかの操作等を行うことなく、自分の身体の異常を然るべき人に通知することができ、通知された人がその異常な事態を解決するための適切な対処をとることが可能となる。
【００１１】
また、本発明は、上記の警報システムに用いられる携帯端末装置、基地局、サーバ装置およびそれらの装置の各々において行われる処理をコンピュータに実行させるプログラムを提供する。
【発明を実施するための最良の形態】
【００１２】
［実施形態］
［１．警報システムの構成］
図１は、本発明にかかる警報システム１の全体構成を示したブロック図である。警報システム１は、複数の携帯端末装置１１と、携帯端末装置１１との間で無線によりデータの送受信を行う複数の基地局１２と、複数の基地局１２の各々と有線にて接続され基地局１２との間でデータの送受信を行うサーバ装置１３とを備えている。さらに、サーバ装置１３は公衆電話網１４に接続され、公衆電話網１４を介して複数の電話機１５の各々との間で音声データによる通信を行うことができる。
【００１３】
図１においては例として３つの携帯端末装置１１（携帯端末装置１１−１〜３）と、２つの基地局１２（基地局１２−１〜２）および３つの電話機１５（電話機１５−１〜３）が示されているが、これらの数は任意である。また、図１においては基地局１２の各々は直接、サーバ装置１３に接続されている様子が示されているが、基地局１２の各々は通信網に含まれる他のノードを介してサーバ装置１３と接続されてもよく、また基地局１２とサーバ装置１３との通信が無線により行われたり、基地局１２とサーバ装置１３との通信経路が有線区間と無線区間を含むように構成されてもよい。また、公衆電話網１４は固定電話網であっても移動電話網であってもよく、それらが相互接続されたものであってもよい。従って、電話機１５は固定電話機であっても移動電話機であってもよい。
【００１４】
複数の基地局１２の各々は、携帯端末装置１１が警報システム１のサービスエリアのいずれの地点に配置されている場合であっても、少なくともいずれかの基地局１２との間で携帯端末装置１１がデータ通信を可能なように、携帯端末装置１１および基地局１２の発する電波の到達距離に応じた適当な間隔を保ち、サービスエリア内に散在するように固定的に配置されている。例えば、図１において基地局１２−１との間で携帯端末装置１１が通信可能な範囲はエリアａ１として示され、基地局１２−２との間で携帯端末装置１１が通信可能な範囲はエリアａ２として示されている。
【００１５】
図２は携帯端末装置１１の構成を示したブロック図である。携帯端末装置１１はユーザの身体の属性値を計測するセンサの集まりであるセンサ群１１１と、ユーザの音声を集音するとともにユーザもしくはその周囲の人々に対し警報音を発するサウンドシステム１１２と、アプリケーションプログラムに従い携帯端末装置１１の各構成部の制御を行うとともに各種データ生成を行う制御部１１３と、所定の時間間隔でクロック信号を生成し制御部１１３に供給する発振器１１４と、制御部１１３に対し処理の指示を行うアプリケーションプログラムや各種データを記憶する記憶部１１５と、無線により基地局１２との間でデータの送受信を行う無線通信部１１６を備えている。
【００１６】
センサ群１１１は、ユーザの体温を計測する温度センサ１１１１と、ユーザの血圧を計測する圧力センサ１１１２と、ユーザの発汗による湿度を計測する湿度センサ１１１３と、心拍数を測定するために光の反射により血流量を計測する光センサ１１１４と、ユーザの運動量を測定するために携帯端末装置１１に加えられる加速度を計測する加速度センサ１１１５を含んでいる。ただし、これらのセンサは例示であり、例えば心拍数を測定するために光センサを用いる代わりに圧力センサを用いるようにしてもよいし、また呼吸数を計測するためのセンサなど、他の種類もしくは用途のセンサを設けるようにしてもよい。
【００１７】
温度センサ１１１１、圧力センサ１１１２、湿度センサ１１１３および光センサ１１１４は、ユーザが携帯端末装置１１を例えば腕に装着した際にユーザの皮膚表面に適する角度および圧力で圧着するように携帯端末装置１１に配置されている。センサ群１１１に含まれる各センサは、計測したユーザの体温等を示すアナログ信号を常時、制御部１１３に対し出力している。以下、各センサから出力されるアナログ信号を総称して「センサ信号」と呼ぶ。また、例えば温度センサ１１１１から出力されるセンサ信号を「温度センサ信号」のように呼ぶ。
【００１８】
サウンドシステム１１２は、ユーザの音声を集音し音声信号を生成するマイク１１２１と、警報音を発するスピーカ１１２２と、マイク１１２１により集音される音声からスピーカ１１２２から発せられた音の成分を取り除くエコーキャンセラ１１２３と、マイク１１２１により生成される音声信号をデジタルの音声データに変換するＡ／Ｄ（Ａｎａｌｏｇ  ｔｏ  Ｄｉｇｉｔａｌ）コンバータ１１２４と、例えばＦＭ（Ｆｒｅｑｕｅｎｃｙ  Ｍｏｄｕｌａｔｉｏｎ）音源方式等により様々な警報音を示す音データを生成する音源部１１２５と、音源部１１２５により生成される音データをアナログの音声信号に変換するＤ／Ａ（Ｄｉｇｉｔａｌ  ｔｏ  Ａｎａｌｏｇ）コンバータ１１２６と、Ｄ／Ａコンバータ１１２６により生成される警報音を示す音声信号を増幅するアンプ１１２７を備えている。
【００１９】
Ａ／Ｄコンバータ１１２４により生成されるユーザの音声を示す音声データは、音声データ１１５２として記憶部１１５に記憶される。ただし、音声データ１１５２は例えば過去３分間分だけの音声データを含み、古いデータは新しいデータにより順次上書きされる。
【００２０】
制御部１１３は、センサ群１１１に含まれる各センサから出力されるセンサ信号を用いて、ユーザの体温等を示す各種の計測データを生成する計測データ生成部１１３１と、発振器１１４から出力されるクロック信号に基づき計時を行う計時部１１３２を備えている。計時部１１３２は、所定の時間間隔、例えば３０秒間隔で計測データの生成を指示する生成指示データと現在時刻を示す時刻データを生成し、計測データ生成部１１３１に引き渡す。
【００２１】
計測データ生成部１１３１は、センサ群１１１に含まれる各センサから出力されるセンサ信号を十分に短い時間間隔で常時サンプリングして量子化し、その結果得られるデジタルデータを一時的に記憶部１１５に記憶させる。なお、センサ信号の値を示すデジタルデータは、例えば過去３０秒間分だけ記憶部１１５に記憶され、古いデータは新しいデータにより順次上書きされる。
【００２２】
計測データ生成部１１３１は計時部１１３２から生成指示データを受け取ると、記憶部１１５に一時的に記憶しておいたデジタルデータを用いて、その時刻におけるユーザの身体の各種の属性値を示す計測データを生成する。具体的には、計測データ生成部１１３１は温度センサ信号をサンプリングして得られたデジタルデータに基づき、ユーザの体温を示す計測データ（以下、「体温データ」と呼ぶ）を生成する。同様に、圧力センサ信号からは血圧（収縮期血圧）を示す計測データ（以下、「血圧データ」と呼ぶ）、光センサ信号からは心拍数を示す計測データ（以下、「心拍数データ」と呼ぶ）、湿度センサ信号からは発汗量を示す計測データ（以下、「発汗量データ」と呼ぶ）、そして加速度センサ信号からは運動量を示す計測データ（以下、「運動量データ」と呼ぶ）が各々生成される。
【００２３】
なお、発汗量データおよび運動量データは１〜１００のいずれかの整数値により発汗量もしくは運動量を示す指標であり、大きい数値ほど発汗量もしくは運動量が大きいことを示すものとする。
【００２４】
ここで、例えば圧力センサ信号から血圧データを生成するには、時系列的に並べられた圧力センサ信号の振幅の極大値を特定する等の処理が行われる。また、光センサ信号から心拍数データを生成するには、時系列に並べられた光センサ信号の振幅の極大値の数を特定する等の処理が行われる。また、湿度センサ信号もしくは加速度センサ信号から発汗量データもしくは運動量データを生成するには、例えば過去３０秒間のセンサ信号の値の累積値を変数とする所定の算出式の値を算出する等の処理が行われる。ただし、これらの各種計測データの生成の方法は上記に限られず、既存の様々な手法が本発明において適用可能である。
【００２５】
記憶部１１５は、予め携帯端末装置１１を他の携帯端末装置１１から識別する携帯端末識別データ１１５１を記憶している。以下の説明において、例として、携帯端末識別データ１１５１は「Ｍ＋５桁数字」で表現されるものとする。また上述したように、記憶部１１５は過去３分間分のユーザの音声を示す音声データ１１５２を記憶する。
【００２６】
無線通信部１１６は、基地局１２から発せられた電波を受信するとともに基地局１２に対し電波を発するためのアンテナ１１６１と、アンテナ１１６１により受信された電波をデジタルデータに変換して制御部１１３に引き渡す受信部１１６２と、制御部１１３から受け取ったデジタルデータをアナログ信号に変換してアンテナ１１６１に印加する送信部１１６３を備えている。
【００２７】
図３は、基地局１２の構成を示したブロック図である。基地局１２は携帯端末装置１１およびサーバ装置１３との間でデータの送受信を行う通信部１２１と、アプリケーションプログラムに従い基地局１２の各構成部の制御を行う制御部１２２と、制御部１２２に対し処理の指示を行うアプリケーションプログラムや各種データを記憶する記憶部１２３を備えている。
【００２８】
通信部１２１は、携帯端末装置１１から発せられた電波を受信するとともに携帯端末装置１１に対し電波を発するためのアンテナ１２１１と、アンテナ１２１１により受信された電波をデジタルデータに変換して制御部１２２に引き渡す無線受信部１２１２と、制御部１２２から受け取ったデジタルデータをアナログ信号に変換してアンテナ１２１１に印加する無線送信部１２１３と、サーバ装置１３から送信されたデータを受信して制御部１２２に引き渡す有線受信部１２１４と、制御部１２２から受け取ったデータをサーバ装置１３に送信する有線送信部１２１５を備えている。
【００２９】
記憶部１２３は、予め基地局１２を他の基地局１２から識別する基地局識別データ１２３１を記憶している。以下の説明において、例として、基地局識別データ１２３１は「Ｂ＋４桁数字」で表現されるものとする。
【００３０】
図４は、サーバ装置１３の構成を示したブロック図である。サーバ装置１３は、基地局１２との間でデータの送受信を行う第１通信部１３１と、アプリケーションプログラムに従いサーバ装置１３の各構成部の制御を行う制御部１３２と、制御部１３２に対し処理の指示を行うアプリケーションプログラムや各種データを記憶する記憶部１３３と、公衆電話網１４を介して電話機１５との間で音声データの送受信を行う第２通信部１３４を備えている。
【００３１】
第１通信部１３１は、基地局１２から送信されたデータを受信して制御部１３２に引き渡す第１受信部１３１１と、制御部１３２から受け取ったデータを基地局１２に送信する第１送信部１３１２を備えている。
【００３２】
制御部１３２は、第１受信部１３１１を介して基地局１２から受信された計測データが所定の条件を満たすか否かを判定する判定部１３２１と、携帯端末装置１１に対し警報の通知を指示する警報指示データを生成する警報指示データ生成部１３２２と、第２通信部１３４を用いて特定の電話番号の電話機１５との間で通信接続を確立するための処理を行う通信接続処理部１３２３と、テキストデータにより示される文を人間が読み上げた場合の音声を示す音声データを合成する音声データ合成部１３２４を備えている。
【００３３】
記憶部１３３は、予め、計測データにより示される携帯端末装置１１のユーザの身体の属性値に基づきユーザの状態を特定するための条件を示す条件データを格納した条件ＤＢ（Ｄａｔａｂａｓｅ）の集まりである条件ＤＢ群１３３１と、基地局識別データにより識別される基地局の位置を示す位置データを格納した位置ＤＢ１３３２と、携帯端末装置１１の各々の所持者等を示すデータである携帯端末データを格納した携帯端末ＤＢ１３３３と、音声データ合成部１３２４が音声合成の際に用いる各種の音素の波形を示す音素データの集まりである音素データ群１３３４を記憶している。また、記憶部１３３は、携帯端末装置１１の各々に関し過去の計測データを時系列的に格納した計測データ群１３３５を記憶する。
【００３４】
図５は条件ＤＢ群１３３１の内容を例示した図である。条件ＤＢ群１３３１は、全ての携帯端末装置１１のユーザに共通して適用される条件に関する条件ＤＢ（以下、「一般条件ＤＢ」と呼ぶ）と、携帯端末装置１１の各々に関しその携帯端末装置１１のユーザにのみ適用される条件に関する条件ＤＢ（以下、「携帯端末条件ＤＢ」という）を含んでいる。各々の条件ＤＢは複数の条件データを格納している。条件データには、計測データにより示される携帯端末装置１１のユーザの体温等の値に関する条件を示す「条件」欄、条件が充たされた場合に通知されるべき警報のレベルを示す「警報レベル」欄、条件が充たされた場合におけるユーザの状況を示す「状況」欄および条件が充たされた場合に公衆電話網１４を介して連絡されるべき連絡先を示す「連絡先」欄が含まれている。一般条件ＤＢは、例えば警報システム１の管理者により準備され、記憶部１３３に格納される。携帯端末条件ＤＢは、各々の携帯端末装置１１のユーザにより、例えば携帯端末装置１１を用いた操作により編集可能であり、個々のユーザに特有の条件を格納することができる。
【００３５】
図６は位置ＤＢ１３３２の内容を例示した図である。位置ＤＢ１３３２は、各々の基地局１２に対応する位置データを格納している。位置データには、基地局１２を識別する基地局識別データと、基地局１２が配置されている場所を示す位置データが含まれている。
【００３６】
図７は携帯端末ＤＢ１３３３の内容を例示した図である。携帯端末ＤＢ１３３３は、各々の携帯端末装置１１に対応する携帯端末データを格納している。携帯端末データには、携帯端末装置１１を識別する携帯端末識別データと、携帯端末装置１１の所持者、当該所持者の年齢および当該所持者の計測データが条件ＤＢ群１３３１により示される条件を充たした場合に連絡されるべき電話番号である登録連絡先が含まれている。登録連絡先には複数の電話番号が登録可能である。
【００３７】
図８は計測データ群１３３５の内容を例示した図である。計測データ群１３３５は各々の携帯端末装置１１に関し、時系列的に並べられた各種の計測データを格納している。すなわち、計測データ群１３３５においては、携帯端末装置１１ごとに、計測データの生成の時刻を示す時刻データに対し各種の計測データが対応付けられ、時刻データにより示される時刻の新しい順に格納されている。
【００３８】
図４に戻り、サーバ装置１３の構成をさらに説明する。サーバ装置１３の第２通信部１３４は、公衆電話網１４に含まれる交換局から送信されたアナログの音声信号を受信してデジタルの音声データに変換して制御部１３２に引き渡す第２受信部１３４１と、制御部１３２から受け取ったデジタルの音声データをアナログの音声信号に変換して交換局に送信する第２送信部１３４２を備えている。
【００３９】
［２．警報システムの動作］
以下に警報システム１の動作を説明する。警報システム１を利用するユーザは、各々、携帯端末装置１１を身体の所定の場所（例えば腕）に装着する。携帯端末装置１１のセンサ群１１１に含まれる各センサはセンサ信号を生成し制御部１１３に引き渡す。制御部１１３の計測データ生成部１１３１は計時部１１３２から受け取る計測指示データに従い各種の計測データを生成し、計時部１１３２から計測指示データとともに受け取った時刻データに生成した各種の計測データを対応付け、記憶部１１５に記憶されている携帯端末識別データ１１５１とともに無線通信部１１６に引き渡す。無線通信部１１６の送信部１１６３は受け取った時刻データ、計測データおよび携帯端末識別データを、アンテナ１１６１を介して電波として送信する。
【００４０】
携帯端末装置１１は上記のように３０秒間隔で計測データ等を送信する一方、ユーザの音声を常時、録音している。すなわち、マイク１１２１により生成されるユーザの音声を示す音声信号は、エコーキャンセラ１１２３によるエコー音の除去の後、Ａ／Ｄコンバータ１１２４によりデジタルの音声データに変換され、音声データ１１５２として記憶部１１５に順次記憶される。
【００４１】
携帯端末装置１１のアンテナ１１６１から発せられた計測データ等を示す電波は、携帯端末装置１１の最寄りの基地局１２により受信される。例えば、図１の例によれば、エリアａ１に配置された携帯端末装置１１−１から発せられた電波は、最寄りの基地局１２である基地局１２−１により受信される。また、エリアａ１とエリアａ２の両方にまたがる領域に配置された携帯端末装置１１−３から発せられた電波は、基地局１２−１および基地局１２−２の両方により受信される。
【００４２】
基地局１２の無線受信部１２１２は、アンテナ１２１１を介して携帯端末装置１１から発せられた電波を受信し、受信した電波により示される計測データ等を制御部１２２に引き渡す。制御部１２２は受け取った計測データ等を、記憶部１２３に記憶されている基地局識別データ１２３１とともに有線送信部１２１５に引き渡す。有線送信部１２１５は制御部１２２から受け取った計測データ等をサーバ装置１３に送信する。
【００４３】
サーバ装置１３の制御部１３２は第１受信部１３１１を介して基地局１２から送信された計測データ等を受け取る。制御部１３２は受け取った時刻データとそれに対応付けられた各種の計測データを、受け取った携帯端末識別データに対応する計測データとして、計測データ群１３３５（図８参照）に格納する。
【００４４】
また、制御部１３２の判定部１３２１は、基地局１２から計測データ等を受け取ると、条件ＤＢ群１３３１（図５参照）に含まれる一般用の条件ＤＢおよび基地局１２から受け取った携帯端末識別データに対応する条件ＤＢを読み出し、読み出したそれらの条件ＤＢに含まれる「条件」欄に示される条件の各々に関し、その条件が、受け取った計測データにより示される体温等の値により充たされるか否かを判定する。
【００４５】
条件ＤＢに含まれる「条件」欄に示される条件にユーザの年齢に関する条件が含まれる場合、判定部１３２１は受け取った携帯端末識別データに対応する携帯端末データを携帯端末ＤＢ１３３３（図７参照）から検索し、検索した携帯端末データに含まれる年齢の値を用いて、当該条件が充たされるか否かを判定する。また、条件ＤＢに含まれる「条件」欄に示される条件に、例えば「血圧の上昇率」のような過去の計測データを要する条件が含まれる場合、判定部１３２１は受け取った携帯端末識別データに対応する必要な過去の計測データを計測データ群１３３５（図８参照）から検索し、検索した計測データを基地局１２から受信した計測データとともに用いて、当該条件が充たされるか否かを判定する。
【００４６】
判定部１３２１により、いずれかの条件データに示される条件が充たされたと判定された場合、警報指示データ生成部１３２２はその条件データの警報レベルを示すデータを含む警報指示データを生成し、生成した警報指示データを、先に基地局１２から受け取った携帯端末識別データとともに、当該基地局１２、すなわち先に受け取った基地局識別データにより識別される基地局１２に対し第１送信部１３１２を介して送信する。
【００４７】
基地局１２の制御部１２２は、有線受信部１２１４を介してサーバ装置１３から警報指示データおよび携帯端末識別データを受け取ると、受け取った携帯端末識別データにより識別される携帯端末装置１１に対し、無線送信部１２１３およびアンテナ１２１１を介して、サーバ装置１３から受け取った警報指示データを送信する。
【００４８】
携帯端末装置１１の制御部１１３は、アンテナ１１６１および受信部１１６２を介して警報指示データを受け取ると、受け取った警報指示データに含まれる警報レベルに応じた音色、音高および音量の楽音の発音を指示する発音指示データを生成し、サウンドシステム１１２に引き渡す。サウンドシステム１１２の音源部１１２５は制御部１１３から受け取った発音指示データに応じた音色および音高の楽音を示す音データを生成し、Ｄ／Ａコンバータ１１２６はその音データをアナログの音信号に変換する。アンプ１１２７はＤ／Ａコンバータ１１２６から出力される音信号を制御部１１３から受け取った発音指示データに応じた音量となるように増幅し、エコーキャンセラ１１２３を介してスピーカ１１２２に出力する。スピーカ１１２２はそのように受け取った音信号を音に変換し発音する。
【００４９】
上記のように、ユーザの状況に応じた警報レベルの警報音がスピーカ１１２２から発せられるため、ユーザは自分の体調等に異常が生じた場合、すぐさまその異常の発生およびその程度を知ることができ、例えば運動中であれば運動を中止して休憩をとるなどの対処が可能となる。また、ユーザが暴漢に襲われそうになり、心拍数や血圧が急上昇したような場合、そのようなユーザの状況を示す条件が充たされ、例えば大音量のサイレン音が携帯端末装置１１から発せられることにより、周囲の人がユーザの所に駆けつけたり、暴漢が恐れをなして退散する等の効果が期待される。
【００５０】
なお、警報レベルに加え、もしくはそれに代えて、サーバ装置１３から携帯端末装置１１に対し、充たされた条件を示す条件データに含まれる「状況」欄のデータが送信されるようにしてもよい。その場合、携帯端末装置１１の制御部１１３はユーザの状況の内容に応じた異なる警報音の発音を指示する発音指示データを生成し、サウンドシステム１１２に引き渡す。その結果、ユーザの状況が異なる警報音により、より詳細にユーザもしくは周囲の人々に通知されることになる。
【００５１】
また、携帯端末装置１１はスピーカ１１２２から警報音を発するのに加え、もしくはそれに代えて、例えば警報ランプの発光や振動等の他の通知手段により警報の通知を行うようにしてもよい。
【００５２】
ところで、判定部１３２１により充たされたと判定された条件を示す条件データ（図５参照）の「連絡先」欄にいずれかの連絡先が示されている場合、サーバ装置１３は上記のように基地局１２を介して携帯端末装置１１に対し警報指示データを送信する一方で、連絡先に対し公衆電話網１４を介した通報を行う。
【００５３】
例えば、連絡先に「登録連絡先」が示されている場合、サーバ装置１３の通信接続処理部１３２３は記憶部１３３に記憶されている携帯端末ＤＢ１３３３（図７参照）から、先に基地局１２から受け取った携帯端末識別データに対応する携帯端末データを検索し、検索した携帯端末データに含まれる登録連絡先に示される電話番号に対し発呼するよう、第２送信部１３４２に指示する。また、連絡先に「警察署」や「消防署」等の所定の連絡先が示されている場合、サーバ装置１３の通信接続処理部１３２３は「１１０」や「１１９」等の所定の電話番号に対し発呼するよう、第２送信部１３４２に指示する。第２送信部１３４２はその指示に応じて公衆電話網１４に対し発呼を行い、サーバ装置１３と発呼先の電話機１５との間に通信接続が確立される。
【００５４】
上記のようにサーバ装置１３と電話機１５との間に通信接続が確立されると、サーバ装置１３の音声データ合成部１３２４は、位置ＤＢ１３３２（図６参照）から、先に基地局１２から受け取った基地局識別データに対応する位置データを検索し、検索した位置データに含まれる基地局１２の住所を示すテキストデータを取得する。また、音声データ合成部１３２４は、携帯端末ＤＢ１３３３（図７参照）から、先に基地局１２から受け取った携帯端末識別データに対応する携帯端末データを検索し、検索した携帯端末データに含まれる所持者を示すテキストデータを取得する。さらに、音声データ合成部１３２４は、判定部１３２１により充たされたと判定された条件を示す条件データに含まれる「状況」欄のテキストデータを取得する。
【００５５】
音声データ合成部１３２４は、上記のように取得した各種のテキストデータを組合せ、例えば「山田太郎さんが、血圧がかなり高い状態になっています。山田太郎さんは、現在、東京都千代田区大手町１丁目２番地付近にいらっしゃいます。」といったテキストデータを生成する。また、例えば図１における携帯端末装置１１−３のように、エリアａ１とエリアａ２の両方にまたがる領域に配置されているような場合、サーバ装置１３は同じ携帯端末識別データを含むデータを基地局１２−１および基地局１２−２からほぼ同時に受信することになる。そのような場合、音声データ合成部１３２４は、例えば「山田太郎さんが、血圧がかなり高い状態になっています。山田太郎さんは、現在、東京都千代田区大手町１丁目２番地と東京都千代田区大手町１丁目４番地の中間地点付近にいらっしゃいます。」といったテキストデータを生成する。
【００５６】
音声データ合成部１３２４は上記のようにテキストデータを生成すると、記憶部１３３に記憶されている音素データ群１３３４から必要な音素データを読み出し、生成したテキストデータを人間が読み上げた場合の音声を示す音声データを合成する。音声合成の方法は従来技術によるので、その説明を省略する。音声データ合成部１３２４は合成した音声データを第２送信部１３４２に引き渡す。第２送信部１３４２は受け取った音声データをアナログの音声信号に変換した後、連絡先の電話機１５に送信する。
【００５７】
なお、サーバ装置１３が公衆電話網１４を介して音声通話によりユーザの状況を連絡先に対し通報する代わりに、例えば電子メール等により、同様の情報を連絡先の人々に通報するようにしてもよい。その場合、サーバ装置１３は上記の音声合成を行う代わりに、同様の内容を示すテキストデータを含む電子メールを生成し、電話番号の代わりにメールアドレスを用いて、インターネット等の公衆データ通信網に対し生成した電子メールを送信する。そのように送信された電子メールは、公衆データ通信網に接続されたパーソナルコンピュータ等により受信され、連絡先の人々にユーザの状況が通報される。
【００５８】
上記のように、予め連絡先がサーバ装置１３に登録されている場合、ユーザの状況に応じて登録されている連絡先に対し、ユーザの状況およびユーザのいる場所に関する情報が通報されるため、例えばユーザの家族や警察官、救急隊員等が状況に応じた必要な対処をとることができる。
【００５９】
警報システム１は、さらにユーザの状況に異常が発生した場合、ユーザの音声を連絡先の人々に伝達する機能を備えている。例えば、サーバ装置１３の判定部１３２１により、警報レベルが「高」の条件データにより示される条件が充たされたと判定された場合、サーバ装置１３の制御部１３２は基地局１２を介し、携帯端末装置１１に対し音声データの送信要求を示す送信要求データを送信する。携帯端末装置１１は基地局１２を介して送信要求データを受信すると、記憶部１１５にその時点で記憶されている音声データ１１５２を読み出し、基地局１２を介してサーバ装置１３に送信する。そのように送信される音声データは、ユーザの過去３分間の音声を記録したデータである。
【００６０】
サーバ装置１３の制御部１３２は基地局１２を介して携帯端末装置１１から音声データを受信すると、受信した音声データを第２送信部１３４２に引き渡す。第２送信部１３４２は、受け取った音声データをアナログの音声信号に変換し、既に上記のように公衆電話網１４において確立された通信接続を用いて、連絡先の電話機１５に対しユーザの音声を示す音声信号を送信する。
【００６１】
上記のように、ユーザの音声が連絡先の人々に伝達されるため、ユーザが苦しみを声に出して訴えたり、例えば暴漢に襲われそうになった場合に助けを求めて叫んでいる様子等が家族や警察官、救急隊員等に伝わり、それらの人々はより適切な対処をとることができる。また、ユーザが暴漢に襲われそうになった場合など、暴漢の音声もユーザの音声とともに記録されている可能性があり、暴漢の特定等にも役立つ。そのため、携帯端末装置１１はサーバ装置１３から音声データの送信要求データを受信した場合、その時点で記憶部１１５に記憶している音声データ１１５２のコピーを生成し、そのコピーを記憶部１１５に保持するようにしてもよい。
【００６２】
以上、説明したように、本発明にかかる警報システム１によれば、携帯端末装置１１を装着したユーザが体調不良に陥ったり、暴漢に襲われる等の危険に遭遇したような場合、それらの異常な状況が、異常な状況の程度に応じて、自動的に然るべき人に通知されるため、ユーザ自らが危険な状況を回避するための手段を講じたり、ユーザの周囲の人々や通報を受けた人が必要な対処をとったりすることができる。その際、ユーザは何らかの操作を行う必要はなく、また、ユーザ自身に自覚症状がなくとも、適切な通知が行われる。
【００６３】
その際、携帯端末装置１１のユーザは、自分の身体の特徴に応じた条件データを自分の携帯端末装置１１に対応する携帯端末条件ＤＢに登録することにより、警報システム１による警報の通知のトリガをカスタマイズすることができる。その結果、例えば頻繁に喘息の発作が起こるユーザは、喘息の発作が始まる前の血圧値や心拍数、それらの変化等に関する条件を携帯端末条件ＤＢに登録しておくことにより、喘息の発作の兆候をいち早く警報システム１に検出させ自分もしくは家族等に警報を報知させる、といったことが可能となる。
【００６４】
ところで、上記の実施形態には、本発明の技術的思想の範囲において、様々な変形を施すことが可能である。例えば、上記の説明においては、サーバ装置１３により連絡先の電話機１５に対し通知されるユーザの場所に関する情報は、携帯端末装置１１の最寄りの基地局１２の住所であるものとしたが、例えば複数の基地局１２により受信される同じ携帯端末装置１１から発せられた電波の強度に基づき、サーバ装置１３が携帯端末装置１１の位置をより細かく特定することを可能としてもよい。その場合、例えば、警報システム１のサービスエリア内においては、携帯端末装置１１はいずれの地点においても少なくとも３つの基地局１２との間で通信が可能であるように基地局１２を配置する。基地局１２は携帯端末装置１１から計測データ等を受信すると、その際の電波の強度を示す電波強度データを計測データ等とともにサーバ装置１３に送信する。サーバ装置１３は３つ以上の基地局１２から同じ携帯端末装置１１を示す携帯端末識別データおよび同じ時刻を示す時刻データを含むデータを受信すると、それらのデータとともに受信された電波強度データに基づき、各々の基地局１２の位置を示す経度緯度から携帯端末装置１１の位置を示す経度緯度を推定し、推定した携帯端末装置１１の経度緯度に対応する住所を地図データから取得して、電話機１５に対する通報に用いる。
【００６５】
また、上記の説明においては、携帯端末装置１１および基地局１２は公衆電話網１４とは異なる無線通信システムを用いるものとしたが、基地局１２は移動電話網の基地局であり、携帯端末装置１１は移動電話網に接続可能な端末装置であってもよい。その場合、既存の移動電話網の設備を利用して本発明にかかる警報システムを実現することが可能となる。
【００６６】
また、上記の説明においては、携帯端末装置１１の位置を特定するにあたり、携帯端末装置１１の最寄りの基地局１２の位置が用いられるものとしたが、例えば携帯端末装置１１がＧＰＳ（Ｇｌｏｂａｌ  Ｐｏｓｉｔｉｏｎｉｎｇ  Ｓｙｓｔｅｍ）衛星から送信される電波に基づき現在の位置を示す位置データを生成可能とし、サーバ装置１３に対しそのように生成した位置データを送信するようにしてもよい。その場合、サーバ装置１３は基地局１２の住所の代わりに携帯端末装置１１から受信した位置データを用いて、携帯端末装置１１の現在の位置を特定する。その結果、携帯端末装置１１の位置が連絡先の人々により正確に伝達される。
【００６７】
また、基地局１２およびサーバ装置１３は、専用のハードウェアにより実現されてもよいし、汎用コンピュータにアプリケーションプログラムに従った処理を実行させることにより実現されてもよい。
【図面の簡単な説明】
【００６８】
【図１】本発明の実施形態にかかる警報システムの全体構成を示したブロック図である。
【図２】本発明の実施形態にかかる携帯端末装置の構成を示したブロック図である。
【図３】本発明の実施形態にかかる基地局の構成を示したブロック図である。
【図４】本発明の実施形態にかかるサーバ装置の構成を示したブロック図である。
【図５】本発明の実施形態にかかる条件ＤＢ群の内容を例示した図である。
【図６】本発明の実施形態にかかる位置ＤＢの内容を例示した図である。
【図７】本発明の実施形態にかかる携帯端末ＤＢの内容を例示した図である。
【図８】本発明の実施形態にかかる計測データ群の内容を例示した図である。
【符号の説明】
【００６９】
１…警報システム、１１…携帯端末装置、１２…基地局、１３…サーバ装置、１４…公衆電話網、１５…電話機、１１１…センサ群、１１２…サウンドシステム、１１３・１２２・１３２…制御部、１１４…発振器、１１５・１２３・１３３…記憶部、１１６…無線通信部、１２１…通信部、１３１…第１通信部、１３４…第２通信部、１１１１…温度センサ、１１１２…圧力センサ、１１１３…湿度センサ、１１１４…光センサ、１１１５…加速度センサ、１１２１…マイク、１１２２…スピーカ、１１２３…エコーキャンセラ、１１２４…Ａ／Ｄコンバータ、１１２５…音源部、１１２６…Ｄ／Ａコンバータ、１１２７…アンプ、１１３１…計測データ生成部、１１３２…計時部、１１６１・１２１１…アンテナ、１１６２…受信部、１１６３…送信部、１２１２…無線受信部、１２１３…無線送信部、１２１４…有線受信部、１２１５…有線送信部、１３１１…第１受信部、１３１２…第１送信部、１３２１…判定部、１３２２…警報指示データ生成部、１３２３…通信接続処理部、１３２４…音声データ合成部、１３４１…第２受信部、１３４２…第２送信部。
【図１】
2006333114.tif 000003
【図２】
2006333114.tif 000004
【図３】
2006333114.tif 000005
【図４】
2006333114.tif 000006
【図５】
2006333114.tif 000007
【図６】
2006333114.tif 000008
【図７】
2006333114.tif 000009
【図８】
2006333114.tif 000010